(57)【要約】【課題】外観を損なうことのない簡易な構成により回転範囲を規定することが可能であって、十分な強度を有する安価な回転操作型スイッチを提供する。【解決手段】回転操作型スイッチ部１０２ａは、ホルダ部５と、回転ツマミ６と、シャフト４と、圧入部６ａと、外壁部６ｂと、ストッパ部５ａと、を備えている。ホルダ部５は、回転方向において移動不能な状態で設けられている。回転ツマミは、回転力を付与されることで、ホルダ部５に対して相対的に回転する。シャフト４は、回転ツマミ６に付与された回転力を伝達する。圧入部６ａは、回転ツマミ６に設けられており、シャフト４の端部４ａが挿入される。外壁部６ｂは、回転ツマミ６の回転方向に交差する方向に沿って設けられている。ストッパ部５ａは、ホルダ部５に設けられており、回転ツマミ６およびシャフト４がホルダ部５に対して相対的に回転した時に、外壁部６ｂと当接して回転範囲の限界位置を規定する。【選択図】図１０
2014165119.tif 000002
【特許請求の範囲】
【請求項１】
固定側部材として設けられたホルダ部と、
回転力を付与されることにより、前記ホルダ部に対して相対的に回転する回転ツマミと、
前記回転ツマミに付与された回転力を伝達するシャフトと、
前記回転ツマミに設けられており、前記シャフトの第１端部が挿入される固定部と、
前記固定部の外周面を形成し、前記回転ツマミの回転方向に交差する方向に沿って設けられた外壁部と、
前記ホルダ部に設けられており、前記回転ツマミおよび前記シャフトが前記ホルダ部に対して相対的に回転した時に、前記外壁部と当接して前記回転範囲の限界位置を規定するストッパ部と、
を備えている回転操作型スイッチ。
【請求項２】
前記回転ツマミと近接配置されており、前記ホルダ部および前記シャフトを内包するとともに、前記回転ツマミおよび前記シャフトの回転方向において移動不能に設けられた円筒部を、さらに備えている、
請求項１に記載の回転操作型スイッチ。
【請求項３】
前記円筒部は、その頂面に開口を有しており、
前記開口から露出し、前記ホルダ部に対する前記回転ツマミの回転位置を示す目印を、さらに備えている、
請求項１または２に記載の回転操作型スイッチ。
【請求項４】
前記シャフトは、前記回転ツマミの回転軸方向に沿って設けられており、前記回転ツマミに回転力が付与されると、前記固定部に第１端部が挿入された状態で、前記ホルダ部の径方向外側において回転する、
請求項１から３のいずれか１項に記載の回転操作型スイッチ。
【発明の詳細な説明】
【技術分野】
【０００１】
本開示は、例えば、肩乗せカメラ用のリモートオペレーションパネル等の各種機器に搭載される回転操作型スイッチに関する。
【背景技術】
【０００２】
従来より、回転物の動作を他の構造物を経由して検出スイッチに伝達する構造において、動作の伝達を目的とするシャフト等の構造物（以下、伝達構造物）を圧入によって回転物側に固定する構成が採用されている。
例えば、特許文献１では、回転物の動作を検出スイッチに直接伝達し、伝達構造物を介すことなく、回転物と固定物とによって回転物の動作範囲を制限するボリューム調整ツマミが開示されている。
【先行技術文献】
【特許文献】
【０００３】
【特許文献１】特開平８−３３０１０８号公報
【発明の概要】
【発明が解決しようとする課題】
【０００４】
しかしながら、上記公報に開示された構成では、以下に示すような問題点を有している。
すなわち、従来の構成では、伝達構造物を介すことなく回転物と固定物との接触によって回転範囲を規定するため、回転物と固定物とが直接的に接触して、いずれかが破損してしまうおそれがある。
一方、シャフト等の伝達構造物を介して回転物を固定物に対して回転させる構成において、伝達構造物が固定物に接触することで回転範囲を規定する場合には、伝達構造物の端部が固定される回転物側の圧入部分に、動作範囲における限界位置に到達する度に負荷がかかってしまう。
【０００５】
よって、回転物には、剛性の強い材質を選定するか、もしくは構成物の体積を増やして圧入部分を強化する等の対応が必要となり、価格や外観に制限が生じてしまう。
本開示の課題は、外観を損なうことのない簡易な構成により回転範囲を規定することが可能であって、十分な強度を有する安価な回転操作型スイッチを提供することにある。
【課題を解決するための手段】
【０００６】
本開示に係る回転操作型スイッチは、ホルダ部と、回転ツマミと、シャフトと、固定部と、外壁部と、ストッパ部と、を備えている。ホルダ部は、固定側部材として設けられている。回転ツマミは、回転力を付与されることにより、ホルダ部に対して相対的に回転する。シャフトは、回転ツマミに付与された回転力を伝達する。固定部は、回転ツマミに設けられており、シャフトの第１端部が挿入される。外壁部は、回転ツマミの回転方向に交差する方向に沿って設けられている。ストッパ部は、ホルダ部に設けられており、回転ツマミおよびシャフトがホルダ部に対して相対的に回転した時に、外壁部と当接して回転範囲の限界位置を規定する。
【発明の効果】
【０００７】
本開示に係る回転操作型スイッチによれば、外観を損なうことのない簡易な構成により回転範囲を規定することが可能であって、十分な強度を有する安価な回転操作型スイッチを提供することができる。
【図面の簡単な説明】
【０００８】
【図１】本開示の一実施形態に係る回転操作型スイッチを搭載した肩乗せカメラ用のリモートオペレーションパネルの構成を示す全体斜視図。
【図２】図１のリモートオペレーションパネルに含まれるＩＲＩＳ操作レバー部の構成を示す斜視図。
【図３】図２のＩＲＩＳ操作レバー部の内部構成を示す断面図。
【図４】図２のＩＲＩＳ操作レバー部の構成を示す分解斜視図。
【図５】図２のＩＲＩＳ操作レバー部に含まれる回転ツマミとシャフトとを連結する圧入部付近の構成を示す斜視図。
【図６】図２のＩＲＩＳ操作レバー部に含まれるホルダ部の構成を示す斜視図。
【図７】図２のＩＲＩＳ操作レバー部に含まれるカバーの構成を示す斜視図。
【図８】図２のＩＲＩＳ操作レバー部の組立て過程の状態を示す斜視図。
【図９】図２のＩＲＩＳ操作レバー部の回転操作型スイッチ部の構成を示す側面図。
【図１０】（ａ）〜（ｄ）は、図９の回転操作型スイッチ部のＢ−Ｂ線矢視断面図。
【発明を実施するための形態】
【０００９】
本開示の一実施形態に係る回転操作型スイッチについて、図１〜図１０（ｄ）を用いて説明すれば以下の通りである。
【００１０】
（リモートオペレーションパネル１００）
本実施形態の回転操作型スイッチは、肩乗せカメラ用のリモートオペレーションパネル１００に、ＩＲＩＳ操作レバー部１０２の回転操作型スイッチ部１０２ａとして搭載されている。
リモートオペレーションパネル１００は、図1に示すように、操作パネル部１０１と、ＩＲＩＳ操作レバー部１０２と、を備えている。
操作パネル部１０１は、図１に示すように、複数の画質調整用ツマミ１０１ａ、複数の画質調整ボタン１０１ｂを有しており、肩乗せカメラ（図示せず）の画質調整を行う。
ＩＲＩＳ操作レバー部１０２は、図１中に一点鎖線で示した３方向において回転、揺動、上下動することで、肩乗せカメラのレンズ絞り調整や黒レベルの調整、プレビュー出力のＯＮ／ＯＦＦの切換え等を行う。
【００１１】
（ＩＲＩＳ操作レバー部１０２）
ＩＲＩＳ操作レバー部１０２は、図２に示すように、回転操作型スイッチ部（回転操作型スイッチ）１０２ａと、レバー操作型スイッチ部１０２ｂと、を有している。
回転操作型スイッチ部１０２ａは、図２に示すように、略円筒状の外形を有しており、下部に露出するように設けられた回転ツマミ６（図３等参照）を回転させたり、頂面部分を押圧したりすることで、肩乗せカメラの各種調整を行う。なお、回転操作型スイッチ部１０２ａの構成については、後段にて詳述する。
レバー操作型スイッチ部１０２ｂは、図２に示すように、略円筒状のケース３の部分を、図中Ｙ方向において揺動させることで、肩乗せカメラの各種調整を行う。
【００１２】
（回転操作型スイッチ部１０２ａ）
回転操作型スイッチ部１０２ａは、図３および図４に示すように、キャップ１、ＶＲ（Vibration Reduction）スイッチ２、ケース（円筒部）３、シャフト４、ホルダ部５、回転ツマミ６、カバー７、ネジ８〜１０を有している。
【００１３】
（キャップ１）
キャップ１は、図３および図４に示すように、回転操作型スイッチ部１０２ａの外郭を構成するケース３に内包されており、ケース３内の空間における上部に設けられている。また、キャップ１は、ケース３の頂面に形成された開口３ａから露出する部分に、ホルダ部５に対する回転ツマミ６の相対的な回転位置を示す目印１ａを有している。
目印１ａは、図２および図３に示すように、回転ツマミ６の回転軸上に配置されたキャップ１の露出部分に設けられており、回転ツマミ６を回転させる動作に伴って、回転ツマミ６と共通の回転軸を中心にして回転する。このため、使用者は、この目印１ａの位置を目視確認するだけで、回転ツマミ６の回転位置を容易に認識することができる。つまり、目印１ａを設けたことにより、使用者は、回転ツマミ６の調整幅が黒レベルを増やす方向および減らす方向における限界位置までどの程度の余裕があるか、容易に認識することができる。よって、使用者は、より効果的な黒レベルの調整を行うことができる。
【００１４】
（ＶＲスイッチ２）
ＶＲスイッチ２は、図３および図４に示すように、プレビュー画面出力のＯＮ／ＯＦＦを切り替えるスイッチであって、ケース３の内部におけるキャップ１とホルダ部５との間に設けられている。
（ケース３）
ケース３は、図４に示すように、ホルダ部５に対してネジ８を用いて固定される円筒状の部材であって、内部に、キャップ１、ＶＲスイッチ２、シャフト４、およびホルダ部５を収容している。また、ケース３は、その頂面に、キャップ１に形成された目印１ａを外部に露出させるための略円形の開口３ａを有している。
【００１５】
（シャフト４）
シャフト４は、図３および図４に示すように、回転ツマミ６に対して外部から付与された回転力を伝達するために設けられた棒状の部材であって、ケース３の内部に設けられている。
また、シャフト４の片方の端部（第１端部）４ａは、図４および図５に示すように、回転ツマミ６の一部に形成された圧入部（固定部）に圧入によって固定されている。
さらに、シャフト４の他方の端部（第２端部）４ｂは、キャップ１に接続されている（図８参照）。これにより、回転ツマミ６を回転させると、シャフト４がホルダ部５の外周側において旋回移動することで、回転ツマミ６に対して外部から付与された回転力を、キャップ１を介してＶＲスイッチ２に確実に伝達することができる。
【００１６】
（ホルダ部５）
ホルダ部５は、カバー７に対して固定配置されており、図３および図４に示すように、ケース３の内部におけるＶＲスイッチ２と回転ツマミ６との間に設けられている。また、ホルダ部５の上部には、ネジ１０を用いてＶＲスイッチ２が固定される。
さらに、ホルダ部５の裏面側（図４に示す−Ｚ方向側）には、後段にて詳述する回転ツマミ６側の外壁部６ｂ（図５参照）に対して当接することで回転ツマミ６の回転範囲の限界位置を規定するストッパ部５ａが設けられている。
ストッパ部５ａは、回転ツマミ６の回転方向に対して交差する方向に沿って配置された面を有している。
【００１７】
（回転ツマミ６）
回転ツマミ６は、図２に示すように、外部に露出する外周面全体に複数の凹凸を有する円環状の部材であって、凹凸部分をつまんで回転させることで、ケース３（ホルダ部５）に対して相対回転させることができる。つまり、回転ツマミ６の外周部分をつまんで回転させることで、その回転動作をシャフト４を介してＶＲスイッチ２に伝達し、肩乗せカメラの黒レベルの調整を行うことができる。
また、回転ツマミ６は、図５に示すように、略円環状の内周部分に、シャフト４の端部４ａが圧入される圧入部（固定部）６ａと、圧入部６ａの外周面を形成する外壁部６ｂと、を有している。
【００１８】
圧入部６ａは、シャフト４の外径よりも僅かに小さい内径を有し、シャフト４の端部４ａが挿入された状態でシャフト４を保持する。
外壁部６ｂは、圧入部６ａを取り囲むように設けられた肉厚部分の外周面を形成し、回転ツマミの回転方向に交差する方向に沿って設けられている。そして、外壁部６ｂは、回転ツマミ６を回転させた際に、ホルダ部５の一部に形成されたストッパ部５ａと当接することで、回転ツマミ６の回転範囲の限界位置を規定する。
さらに、回転ツマミ６は、図７に示すカバー７に形成された略円環状のガイド部７ａに沿って回転可能となる。
【００１９】
（カバー７）
カバー７は、回転操作型スイッチ部１０２ａの土台部分を構成する部材であって、回転操作型スイッチ部１０２ａとレバー操作型スイッチ部１０２ｂとの連結部分となる。また、カバー７は、図７に示すように、上面部に略円環状のガイド部７ａを有している。
ガイド部７ａは、回転ツマミ６の内周面と係合し、回転ツマミ６を回転方向において案内する。
さらに、カバー７上には、図８に示すように、Ｚ方向において、回転ツマミ６、ホルダ部５、シャフト４、ＶＲスイッチ２、およびキャップ１がこの順に配置され、回転操作型スイッチ部１０２ａが組立てられる。
【００２０】
＜回転操作型スイッチ部１０２ａの回転範囲＞
本実施形態の回転操作型スイッチ部１０２ａは、図９に示すように、回転ツマミ６の外周部をつまんで回転させると、ケース３の内部において、各構成部材が互いに干渉し合うことで、回転範囲を規定している。
ここで、図１０（ａ）〜図１０（ｄ）には、図９に示す回転操作型スイッチ部１０２ａのＢ−Ｂ線矢視断面図を示している。
回転操作型スイッチ部１０２ａは、図１０（ａ）に示すように、回転ツマミ６の回転可能な範囲を、ケース３内において旋回移動する外壁部６ｂと、固定配置されたホルダ部５の一部に形成されたストッパ部５ａとが互いに当接する両端位置の間の範囲に規定している。
【００２１】
すなわち、回転操作型スイッチ部１０２ａでは、回転ツマミ６の回転可能な範囲においける一方の限界位置（第１の限界位置）は、図１０（ｂ）に示すように、図中右上の位置、つまりストッパ部５ａの図中右側の側面に、回転ツマミ６側の外壁部６ｂが当接した位置として設定される。
次に、図１０（ｂ）に示す第１の限界位置から、回転ツマミ６を図中時計回りに回転させていくと、図１０（ｃ）に示すように、ホルダ部５の外周に沿って回転ツマミ６側の外壁部６ｂが周方向に移動していく。つまり、図１０（ｃ）は、回転ツマミ６の回転範囲における中間位置を示している。
【００２２】
そして、回転ツマミ６をさらに図中時計回りに回転させていくと、図１０（ｄ）に示すように、回転ツマミ６の回転可能な範囲においける他方の限界位置（第２の限界位置）に到達する。つまり、回転ツマミ６の第２の限界位置は、図１０（ｄ）に示すように、図中左上の位置、つまりストッパ部５ａの図中左側の側面に、回転ツマミ６側の外壁部６ｂが当接した位置として設定される。
本実施形態の回転操作型スイッチ部１０２ａでは、以上の構成により、回転ツマミ６の回転可能な範囲が、回転ツマミ６側の外壁部６ｂとホルダ部５側のストッパ部５ａとが当接することで規定される。
【００２３】
これにより、シャフト４の端部４ａが固定された圧入部６ａの外周面を構成する外壁部６ｂと、ホルダ部５の一部（ストッパ部５ａ）と、を互いに当接させることで回転範囲の限界位置を規定している。このため、回転ツマミ６の回転範囲における両端に到達する毎に生じる負荷を、圧入部６ａの外周面を構成する外壁部６ｂにおいて受け止めることができる。
ここで、外壁部６ｂは、圧入部６ａの外周面を構成する部分であって比較的剛性を有しているため、強度的な問題を解消することができる。さらに、シャフト４自体が回転範囲における限界位置に到達する毎に負荷を受けることを防止することができる。
【００２４】
この結果、外観を損なうことのない簡素な構成により、強度的な問題を解消して、安価に製造可能な回転操作型スイッチ部１０２ａを得ることができる。
なお、上述した回転操作型スイッチ部１０２ａを構成する各部材は、樹脂成形品として形成されてもよいし、一部に金属製の部品を用いてもよい。
これにより、例えば、圧入部６ａ、外壁部６ｂを有する回転ツマミ６等のような比較的複雑な形状を含む部品については、合成の高い樹脂を用いた成形品として形成することで、安価で強度面の問題も解消できる回転操作型スイッチ部１０２ａを形成することができる。
【００２５】
［他の実施形態］
以上、本開示の一実施形態について説明したが、本開示は上記実施形態に限定されるものではなく、開示の要旨を逸脱しない範囲で種々の変更が可能である。
（Ａ）
上記実施形態では、回転ツマミ６の圧入部６ａにおいてシャフト４の端部４ａを固定する例を挙げて説明した。しかし、本発明はこれに限定されるものではない。
シャフトの端部を固定する方法としては、圧入に限定されるものではなく、例えば、係止や接着等の固定方法によって、シャフトの端部を回転側の部材に固定した構成であってもよい。
この場合でも、上記実施形態の構成と同様の効果を得ることができる。
【００２６】
（Ｂ）
上記実施形態では、本開示に係る回転操作型スイッチを、肩乗せカメラ用のリモートオペレーションパネル１００に搭載した例を挙げて説明した。しかし、本開示はこれに限定されるものではない。
つまり、本回転操作型スイッチは、肩乗せカメラ、あるいはカメラ以外の各種機器に搭載される回転操作型スイッチとして活用されてもよい。
【産業上の利用可能性】
【００２７】
本開示の回転操作型スイッチは、外観を損なうことなく、安価な回転操作型スイッチを提供することができるという効果を奏することから、カメラの画質調整用のパネルに限らず、各種機器に搭載される回転操作型スイッチとして広く適用可能である。
【符号の説明】
【００２８】
１      キャップ
１ａ    目印
２      ＶＲスイッチ
３      ケース（円筒部）
３ａ    開口
４      シャフト
４ａ    端部（第１端部）
４ｂ    端部（第２端部）
５      ホルダ部
５ａ    ストッパ部
６      回転ツマミ
６ａ    圧入部（固定部）
６ｂ    外壁部
７      カバー
７ａ    ガイド部
８      ネジ
９      ネジ
１０      ネジ
１００      リモートオペレーションパネル
１０１      操作パネル部
１０１ａ    画質調整用ツマミ
１０１ｂ    画質調整ボタン
１０２      ＩＲＩＳ操作レバー部
１０２ａ    回転操作型スイッチ部（回転操作型スイッチ）
１０２ｂ    レバー操作型スイッチ部
【図１】
2014165119.tif 000003
【図２】
2014165119.tif 000004
【図３】
2014165119.tif 000005
【図４】
2014165119.tif 000006
【図５】
2014165119.tif 000007
【図６】
2014165119.tif 000008
【図７】
2014165119.tif 000009
【図８】
2014165119.tif 000010
【図９】
2014165119.tif 000011
【図１０】
2014165119.tif 000012